(57)【要約】【課題】水質汚染の心配が少ない材料で形成され、しかも、ユーザーによる釣針に対する取り付け及び取り外しが容易に行える、釣用錘を提供する。【解決手段】本発明の釣用錘１は、釣針７の軸部７ｃを挟持しうる釣用錘であって、タングステン、タングステンを含む合金、又は樹脂とタングステンとを含む複合材料で形成された一対の錘片２ａ，２ｂを含む錘本体と、鉛を実質的に含まず、前記錘片を構成する金属よりもよりも柔らかい金属材料で形成され、前記一対の錘片を連結し、前記一対の錘片が前記軸部を挟むように互いに対向配置された状態を保持する連結体３と、を含み、対向配置されたときに前記一対の錘片の互いに向かい合う面には、前記連結体３を挿入可能とする連結体挿入部２４ａ，２４ｂが形成されている。【選択図】  図３
2018143129.tif 000002
【特許請求の範囲】
【請求項１】
釣針の軸部を挟持しうる釣用錘であって、
タングステン、タングステンを含む合金、又は樹脂とタングステンとを含む複合材料で形成された一対の錘片を含む錘本体と、
鉛を実質的に含まず、前記錘片を構成する金属よりもよりも柔らかい金属材料で形成され、前記一対の錘片を連結し、前記一対の錘片が前記軸部を挟むように互いに対向配置された状態を保持する連結体と、を含み、
対向配置されたときに前記一対の錘片の互いに向かい合う面には、前記連結体を挿入可能とする連結体挿入部が形成されている釣用錘。
【請求項２】
前記連結体挿入部は、前記面から前記錘本体の外表面に向かって貫通する貫通孔である、請求項１に記載の釣用錘。
【請求項３】
前記連結体の金属材料は、銅、銅合金、アルミニウム、及びアルミニウム合金からなる群から選ばれる少なくとも１種である、請求項１又は２に記載の釣用錘。
【請求項４】
前記連結体は、棒状である、請求項１から３のいずれかの項に記載の釣用錘。
【請求項５】
前記一対の錘片の少なくとも一方について、他方の錘片と向かい合う面との間に、溝部が形成されている、請求項１から４のいずれかの項に記載の釣用錘。
【請求項６】
前記錘本体は、前記溝部の底面に固定された弾性シートを更に含み、
前記弾性シートは、前記軸部が前記錘本体により挟持された際に前記軸部に接しうる凸部を複数含む、請求項５に記載の釣用錘。
【請求項７】
各錘片に、前記連結体挿入部が複数個形成されており、
複数の前記連結体挿入部は、前記溝部の長手方向に沿って、前記溝部に対して同じ側に形成されている、請求項５又は６に記載の釣用錘。
【請求項８】
前記一対の錘片の少なくとも一方について、他方の錘片と向かい合う面のうちの、前記溝部に対して前記連結体挿入部が形成されている側の前記連結体挿入部よりも周縁側部分が、前記面の周縁に向かうにつれて他方の錘片の向かい合う面から遠ざかる傾斜面を含む、請求項１から７のいずれかの項に記載の釣用錘。
【請求項９】
前記釣用錘で前記軸部を挟持することにより前記釣用錘が閉じた状態のときに、前記連結体のうちの、前記一対の錘片の境目及びその付近に配置された部分が、前記錘本体から露出している、請求項１から８のいずれかの項に記載の釣用錘。
【請求項１０】
釣針と前記釣針の軸部に装着された請求項１から９のいずれかの項に記載の釣用錘とを含む、錘付き釣針。
【発明の詳細な説明】
【技術分野】
【０００１】
本発明は、釣用錘及び錘付き釣針に関する。
【背景技術】
【０００２】
淡水魚であるブラックバスなどの大型肉食魚を釣るためには、従来からルアーが使用されている。海釣りにおいてもルアーは良く使用されている。とりわけ、プラスチックルアーのルアー本体は、よりリアルな疑似餌とするために、軟質素材で成型されることがある。
【０００３】
特許文献１には、ルアー本体が軟質素材で形成された従来のルアー（「軟質ワーム」と呼ばれる。）の一例が開示されている。この種の軟質ワームには、オフセット型の釣針が装着され、釣針の軸部には、錘が取り付けられることがある。錘は、ペンチで変形させることにより、錘に形成された溝の左右の側壁を釣針の軸部に圧接することで、釣針に取り付けられるために、錘の材料には、比較的柔らかい鉛が使用される（特許文献２等参照）。しかし、鉛製の錘が水中に投棄されると鉛が水に溶けだして水質汚染を引き起こすことが問題となっており、鉛に代わる材料の一つとして水質汚染の心配が少ないタングステンが提案されている。
【先行技術文献】
【特許文献】
【０００４】
【特許文献１】特開２００６−２２３２９６号公報
【特許文献２】特開平９−２９９００２号公報
【発明の概要】
【発明が解決しようとする課題】
【０００５】
しかし、タングステンは極めて硬質であり、ペンチ等による変形が難しい。そのため、釣針に予め錘が固定され、ユーザーによる釣針に対する取り付け及び取り外しが行えない状態で市場に提供されているのが現状である。
【０００６】
そこで、水質汚染の心配が少ない材料で形成され、しかも、ユーザーによる釣針に対する取り付け及び取り外しが容易に行える、釣用錘を提供する。
【課題を解決するための手段】
【０００７】
本発明の釣用錘は、釣針の軸部を挟持しうる釣用錘であって、
タングステン、タングステンを含む合金、又は樹脂とタングステンとを含む複合材料で形成された一対の錘片を含む錘本体と、
鉛を実質的に含まず、前記錘片を構成する金属よりもよりも柔らかい金属材料で形成され、前記一対の錘片を連結し、前記一対の錘片が前記軸部を挟むように互いに対向配置された状態を保持する連結体と、を含み、
対向配置されたときに前記一対の錘片の互いに向かい合う面には、前記連結体を挿入可能とする連結体挿入部が形成されている。
【０００８】
本発明の錘付き釣針は、釣針と前記釣針の軸部に装着された本発明の釣用錘とを含む。
【発明の効果】
【０００９】
本発明では、水質汚染の心配が少ない材料で形成され、しかも、ユーザーによる釣針に対する取り付け及び取り外しが容易に行える、釣用錘を提供する。
【図面の簡単な説明】
【００１０】
【図１】図１は、オフセット型の釣針の一例の正面図である。
【図２】図２は、本発明の釣用錘の一例が釣針に装着された錘付き釣針の一例の正面図である。
【図３】図３は、図２に示した釣用錘を矢印Ａの方向から見た拡大底面図である。
【図４】図４は、図２に示した釣用錘を矢印Ｂの方向から見た拡大上面図である。
【図５】図５は、図２に示した釣用錘のＶ−Ｖ′に沿った拡大端面図である。
【図６】図６は、図２に示した釣用錘を構成する一対の錘片のうちの一方及びそれに固定された弾性シートを示した斜視図である。
【図７】図７は、図２に示した釣用錘を構成する一対の錘片のうちの他方及びそれに固定された弾性シートを示した斜視図である。
【図８】図８は、図２に示した錘付き釣針が軟質ワームに取り付けられた様子を示した正面図である。
【発明を実施するための最良の形態】
【００１１】
本発明は、更に以下［１］〜［１３］を開示する。
【００１２】
［１］  釣針の軸部を挟持しうる釣用錘であって、
タングステン、タングステンを含む合金、又は樹脂とタングステンとを含む複合材料で形成された一対の錘片を含む錘本体と、
鉛を実質的に含まず、前記錘片を構成する金属よりもよりも柔らかい金属材料で形成され、前記一対の錘片を連結し、前記一対の錘片が前記軸部を挟むように互いに対向配置された状態を保持する連結体と、を含み、
対向配置されたときに前記一対の錘片の互いに向かい合う面には、前記連結体を挿入可能とする連結体挿入部が形成されている釣用錘
［２］  前記連結体挿入部は、前記一対の錘片の互いに向かい合う前記面から前記錘片の外表面に向かって貫通する貫通孔である、前記［１］に記載の釣用錘。
［３］  前記連結体の金属材料は、銅、銅合金、アルミニウム、及びアルミニウム合金からなる群から選ばれる少なくとも１種である、前記［１］又は［２］に記載の釣用錘。
［４］  前記連結体は、棒状である、前記［１］から［３］のいずれかに記載の釣用錘。
［５］  前記一対の錘片の少なくとも一方について、他方の錘片と向かい合う面との間に、溝部が形成されている、前記［１］から［４］のいずれかに記載の釣用錘。
［６］  前記錘本体は、前記溝部の底面に固定された弾性シートを更に含み、
前記弾性シートは、前記軸部が前記錘本体により挟持された際に前記軸部に接しうる凸部を複数含む、前記［５］に記載の釣用錘。
［７］  各錘片に、前記連結体挿入部が複数個形成されており、
複数の前記連結体挿入部は、前記溝部の長手方向に沿って、前記溝部に対して同じ側に形成されている、前記［５］又は［６］に記載の釣用錘。
［８］  前記一対の錘片の少なくとも一方について、他方の錘片と向かい合う面のうちの、前記溝部に対して前記連結体挿入部が形成されている側の前記連結体挿入部よりも周縁側部分が、前記面の周縁に向かうにつれて他方の錘片の向かい合う面から遠ざかる傾斜面を含む、前記［１］から［７］のいずれかに記載の釣用錘。
［９］  前記傾斜面が、前記一対の錘片の両方に形成されており、前記傾斜面間の距離が、釣用錘の長手方向両端に向かうにつれて各々徐々に小さくなり、前記釣用錘の両端及びその近傍において、各錘片の傾斜面が互いに接する、前記［８］に記載の釣用錘。
［１０］  前記傾斜面を第１傾斜面と称することとすると、
前記一対の錘片の少なくとも一方について、他方の錘片と向かい合う面のうちの、前記溝部に対して前記連結体挿入部が形成されている側の反対側が、前記面の周縁に向かうにつれて他方の錘片から遠ざかる第２傾斜面を含む、前記［８］又は［９］に記載の釣用錘。
［１１］  前記釣用錘で前記軸部を挟持することにより前記釣用錘が閉じた状態のときに、前記連結体のうちの、前記一対の錘片の境目及びその付近に配置された部分が、前記錘本体から露出している、前記［１］から［１０］のいずれかの項に記載の釣用錘。
［１２］  前記釣針が、
前記釣糸接続部と、
前記釣糸接続部から延伸し下方向に屈曲した部分を含む屈曲部と、
前記屈曲部から後方側に向かって延伸した軸部と、
前記釣り糸の針先が前記釣糸接続部側に向くように湾曲した湾曲部と、
前記針先を含む先端部と、を含む、前記［１］から［１１］のいずれに記載の釣用錘。
［１３］  釣針と前記釣針の軸部に装着された、前記［１］から［１２］のいずれかの項に記載の釣用錘とを含む、錘付き釣針。
【００１３】
以下、本発明の釣用錘の一例について、図面を参照しながら説明する。
【００１４】
図１は、オフセット型の釣針の一例の正面図である。図２は、本発明の釣用錘の一例が釣針に装着された錘付き釣針の一例の正面図であり、図３は、図２に示した釣用錘１を矢印Ａの方向から見た拡大底面図であり、図４は、図２に示した釣用錘１を矢印Ｂの方向から見た拡大上面図であり、図５は、図２に示した釣用錘１のＶ−Ｖ′に沿った拡大端面図である。図６は、図２に示した釣用錘１を構成する一方の錘片２ａ及びそれに固定された弾性シート２ｃを示した斜視図であり、図７は、図２に示した釣用錘１を構成する他方の錘片２ｂ及びそれに固定された弾性シート２ｄを示した斜視図であり、図８は、図２に示した錘付き釣針７が軟質ワームに取り付けられた様子を示した正面図である。
【００１５】
尚、本願において、「上面」は、水中で上方を向く側の面を意味する。また、「先端側」とは、ある位置を基準に、釣針の長手方向のうちの釣糸接続部がある側を意味し、当該ある位置を基準に、釣針の「先端側」とは反対側を「後方側」と呼ぶ。また、「上側」とは、ある位置を基準に、水中で上に位置する側を意味し、「下側」とは、当該ある位置を基準に、水中で下に位置する側を意味する。
【００１６】
図１に示されるように、オフセット型の釣針７であり、釣糸接続部７ａ（いわゆるラインアイ）と、屈曲部７ｂと、軸部７ｃと、湾曲部７ｄと、針先７ｆを含む先端部７ｅとをこの順で含む。屈曲部７ｂは、釣糸接続部７ａから延伸し下方向に屈曲した部分を含む。軸部７ｃは、屈曲部７ｂから後方側に向かって延伸している。湾曲部７ｄは、釣針７の針先７ｆが釣糸接続部７ａ側に向くように湾曲している。
【００１７】
図１に示した釣針７を軟質ワームに装着する際には、例えば、先端部７ｅを、軟質ワームの先端から軟質ワーム内に差し込み、湾曲部７ｄまで刺さったら、釣針７を軟質ワームの下面（腹側面）から貫通させ、軟質ワームの先端が釣糸接続部７ａに達するまで軟質ワームに通す。次いで、釣針７の先端部７ｅが上を向くように反転させ、先端部７ｅを再度軟質ワームに差し込み、上方に貫通させて、先端部７ｅを軟質ワームの上面から軟質ワームの外側に露出させる。軟質ワームから釣針７を取り外す際には、装着と逆の操作を行うので、釣糸接続部７ａに釣糸が結びつけられた状態でも、軟質ワームの交換が行える。
【００１８】
一方、釣用錘が予め固定された釣針を軟質ワームに装着する際には、軟質ワームの腹側面から釣糸接続部７ａを差し込んで軟質ワームの先端から外に出し、次いで、先端部７ｅを軟質ワームに差し込み、上方に貫通させて、先端部を軟質ワームの上面から軟質ワームの外側に露出させる。軟質ワームから釣用錘が予め固定された釣針を取り外す際にも、装着と逆の操作を行うが、釣糸接続部７ａに釣糸が結びつけられた状態では、軟質ワームの交換を行うためには、釣糸を切ってから軟質ワームから釣針を取り外さなければならない。
【００１９】
本発明の釣用錘は、軟質ワームに装着された釣針に対して装着できる上、着脱も可能であるので、釣糸を切ることなく、軟質ワームから釣針を取り外すことができる。また、軟質ワームに装着された釣針に対して、重さの異なる釣用錘を簡単に交換できる。
【００２０】
図２〜図４に示すように、釣用錘１の形状は、例えば、楕円の長軸が回転軸となった略回転楕円体である。釣用錘１は、主としてタングステンを用いて形成され、釣針７の軸部７ｃを挟み込む方法により、着脱可能に釣針７に装着しうるものである。本発明の釣用錘１は、「スプリットシンカー」とも呼ばれる。釣用錘１は、一対の錘片２ａ，２ｂと、一対の錘片２ａ，２ｂを連結する連結体３と、一対の弾性シート２ｃ，２ｄと含む。
【００２１】
錘片２ａ，２ｂは、各々、例えば、略半回転楕円体である。錘片２ａ，２ｂは、タングステン、タングステン合金、又は樹脂とタングステンとを含む複合材料を用いて形成されており、高比重であるという理由からは、タングステン又はタングステン合金が好ましく、加工が容易であり、低比重であるという理由からは、樹脂とタングステンとを含む複合材料が好ましい。環境汚染の原因となる、鉛、錫及び亜鉛等は、含まれていないことが望ましく、これらの材料の含有量は、好ましくは５ｐｐｍ以下、より好ましくは２ｐｐｍ以下である。
【００２２】
タングステン合金としては、例えば、鉄―タングステン合金、ニッケル―タングステン合金、モリブデン―タングステン合金であり、錘片２ａ，２ｂには、鉛、錫、等の水に溶けて環境汚染を引き起こし易い材料は含まないことが好ましく、これらの材料の含有量は、５ｐｐｍ以下であることが好ましい。
【００２３】
樹脂とタングステンとを含む複合材料は、タングステン粉末と熱可塑性樹脂とが混錬された複合材料であり、混錬物を成形し、必要に応じて焼結することにより錘片を形成できる。熱可塑性樹脂としては、例えば、ポリエチレン、ポリプロピレン、ポリスチレン、ナイロン等のポリアミド樹脂等が挙げられる。タングステン粉末は、酸化防止のために、熱可塑性樹脂との混合前にシリコン系やシラン系の有機化合物によりコーティングされていてもよい。
【００２４】
図６及び図７から良く分かるように、一対の錘片２ａ，２ｂの、互いに向かい合う面２１ａ，２１ｂには、各々、溝部２２ａ，２２ｂが形成されている。溝部２２ａ，２２ｂは、その長手方向が、面２１ａ，２１ｂの長軸方向と同じになるように形成されている。溝部２２ａ，２２ｂをその長手方向と直交する方向に切断した場合に見える溝部２２ａ，２２ｂの形状は、釣針７の挟持の確実性を高める観点から、図５からよく分かるように、好ましくはコの字状である。尚、溝部の長手方向とは、溝の幅方向と直交する方向であり、後述する連結体３や連結体挿入部２４ａ，２４ｂは、溝の幅方向と同方向の直線上にある。
【００２５】
本発明の釣用錘の他の態様において、釣用錘１の形状は、例えば、略球体であってもよし、楕円の短軸が回転軸となった略回転楕円体であってもよい。
【００２６】
本発明の釣用錘の他の態様において、溝部２２ａ，２２ｂをその長手方向と直交する方向に切断した場合に見える溝部２２ａ，２２ｂの形状は、錘片２ａ，２ｂにより釣針を挟持できるかぎり、特に制限されず、例えば、円弧状等であってもよい。
【００２７】
溝部２２ａ，２２ｂの底面２３ａ，２３ｂには、弾性シート２ｃ，２ｄが固定されている。弾性シート２ｃ，２ｄの軸部７ｃと向かい合う面２１ｃ，２１ｄは、錘本体２によって挟まれた釣針７が、１対の弾性シート２ｃ，２ｄの間で滑ることを防止するために、凸部２２ｃ，２２ｄが形成された凹凸面であると好ましい。凸部２２ｃ，２２ｄは、軸部７ｃとの接触面積を確実に確保する観点から、線状凸部であると好ましく、その長手方向が、例えば、溝部２２ａ，２２ｂの長手方向と直交しているとより好ましい。線状凸部をその長手方向と直交する方向に切断した場合の切断面の形状について特に制限はないが、例えば、三角形又は台形である。凸部２２ｃ，２２ｄは、軸部７ｃとの接触面積を確実に確保する観点から、釣用錘１で釣針７の軸部７ｃを挟持した際に、溝部２２ａ，２２ｂの長手方向に沿って、互い違いになるように配置されていると好ましい。
【００２８】
尚、図１〜図７を用いて説明する釣用錘１において、一対の弾性シート２ｃ，２ｄには、凸部２２ｃ，２２ｄが形成されているが、一対の弾性シート２ｃ，２ｄによって、軸部７ｃの滑りを防止できれば、凸部２２ｃ，２２ｄは形成されていなくてもよいし、凸部２２ｃ，２２ｄに代えて面２１ｃ，２１ｄには梨地加工等が施されていてもよい。また、本発明の釣用錘の別の形態においては、一対の弾性シートを備えておらず、一対の錘片２ａ，２ｂによって、直接、釣針７を挟持してもよい。この場合、溝部２２ａ，２２ｂの底面２３ａ，２３ｂに、凸部が形成され、又は梨地加工等が施されていてもよい。
【００２９】
弾性シート２ｃ、２ｄの材料としては、例えば、天然ゴム、イソプレンゴム、ブチルゴム、エチレンプロピレンゴム等が挙げられる。
【００３０】
弾性シート２ｃ、２ｄの錘片２ａ，２ｂへの固定は、例えば、両面接着テープやアクリル系接着剤等を用いて行える。
【００３１】
溝部２２ａ，２２ｂの深さは、一対の弾性シートを備える場合も備えない場合も、釣用錘１によって、釣針７の軸部７ｃを挟持できるように設定される。
【００３２】
尚、図１〜図７を用いて説明する釣用錘１において、溝部２２ａ，２２ｂは、錘片２ａ，２ｂの両方に形成されているが、釣用錘１で釣針を挟持できる限り、錘片２ａ，２ｂのうちのいずれか一方のみに形成されていてもよい。錘片２ａ，２ｂが対称な形状であることにより、釣用錘１が釣針７に装着された際に、軟質ワームをバランスの姿勢を制御し易いという理由から、溝部は、錘片２ａ，２ｂの各々に形成されていると好ましい。
【００３３】
錘片２ａ，２ｂには、各々、連結体３を挿入するための、連結体挿入部２４ａ，２４ｂが形成されている。連結体挿入部２４ａ，２４ｂは、好ましくは、面２１ａ，２１ｂから錘片２ａ，２ｂの外表面２５ａ，２５ｂに向かって貫通する貫通孔である。連結体挿入部２４ａ，２４ｂが貫通孔であると、挟持される針の太さに応じて、錘片２ａ，２ｂの間隔を広げることが行い易く、好ましい。連結体挿入部２４ａ，２４ｂは、各々複数個形成されており、溝部２２ａ，２２ｂの長手方向に沿って、溝部２２ａ，２２ｂに対して同じ側に形成されている。
【００３４】
各錘片に形成される連結体挿入部の数は、釣用錘の釣針への安定した装着性と、装着操作性の両立の観点から、２個が好ましいが、連結体挿入部の数について特に制限はなく、１個でもよいし、３個以上でもよい。
【００３５】
連結体挿入部２４ａ，２４ｂ内に連結体３を圧入し、釣針７を一対の弾性シート２ｃ，２ｃの間に配置した状態で、一対の錘片２ａ，２ｂを挟んだペンチ等を閉めることにより、一対の錘片２ａ，２ｂを含む錘本体２に対して連結体３を貫通させることにより、釣針７を釣用錘１で挟持し、その状態を保持することができる。
【００３６】
連結体３は、鉛等の環境汚染の原因となる材料を実質的に含まず、好ましくは当該材料を含んでおらず、錘片２ａ，２ｂを構成する金属よりもよりも柔らく、ペンチ等の工具により屈曲可能な金属材料等からなる。「実質的に含まず」とは、鉛、錫及び亜鉛の含有量が、好ましくは５ｐｐｍ以下、より好ましくは２ｐｐｍ以下、さらに好ましくは１ｐｐｍ以下であることを意味する。
【００３７】
連結体３は、好ましくは、銅、銅合金、アルミニウム、及びアルミニウム合金からなる群から選ばれる少なくとも１種で形成されているが、銅又はアルミニウムが好ましい。銅合金としては、例えば、亜鉛―銅合金であり、アルミニウム合金としては、例えば、銅―アルミニウム合金、亜鉛―アルミニウム合金である。銅合金又はアルミニウム合金に含まれる、銅又はアルミニウム以外の金属の配合量は、ペンチ等により屈曲可能であり、適度な靭性（粘り強さ）が担保される限り特に制限はない。
【００３８】
連結体３は、その断面形状について特に制限はないが、例えば円形の棒状体である。
【００３９】
尚、図１〜図７を用いて説明する釣用錘１において、連結体挿入部２４ａ，２４ｂは、各々、一対の錘片２ａ，２ｂの互いに向かい合う面２１ａ，２１ｂから錘片２ａ，２ｂの外表面２５ａ，２５ｂに向かって貫通する貫通孔であるが、連結体挿入部はこれに限定されず、連結体挿入部２４ａ，２４ｂの、少なくとも一方が、一対の錘片２ａ，２ｂの互いに向かい合う面２１ａ，２１ｂから連結体３の一部を受容するが、錘片２ａ，２ｂを貫通させない、凹部であってもよい。
【００４０】
一対の錘片２ａ，２ｂに対する連結体３の装着方法は、連結体挿入部２４ａ，２４ｂの形態に応じて、或いは、ユーザーの好みに応じて、適宜選択すればよい。例えば、連結体挿入部２４ａに連結体３の一端を、連結体挿入部２４ａに連結体３の他端を挿入した後、錘片２ａ，２ｂをペンチ等で挟むことにより、連結体３を連結体挿入部２４ａ、２４ｂ内の更に奥まで圧入する方法により行える。また、予め、連結体３の各端が各々連結体挿入部内に圧入された状態で市場に提供されてもよい。
【００４１】
錘片２ａ，２ｂで釣針７の軸部を挟持することにより釣用錘１が閉じた状態のときに、錘片２ａ，２ｂの互いに向かい合う面２１ａ，２１ｂのうちの一部が、互いに当接するように形成されていると、釣用錘１を釣針７への取り付ける際に、ペンチ等による挟み込みの操作の終りを認識し易く好ましい。図２〜８を用いて説明する例では、図５〜７から良く分かるように、面２１ａ，２１ｂのうちの、溝部２２ａ，２２ｂと連結体挿入部２４ａ、２４ｂの間の部分２６ａ，２６ｂが互い当接している。
【００４２】
尚、本願において、「釣用錘が閉じた状態」とは、釣用錘１により釣針７が挟持され、その状態が保持された状態を意味する。釣用錘１により、釣針７が挟持した状態を保持できれば、例えば、一対の錘片２ａ，２ｂの互いに向かい合う面２１ａ，２１ｂのうちの溝部２２ａ，２２ｂに対して連結体挿入部２４ａ、２４ｂが形成されている側の反対側が全く接していなくても、「釣用錘が閉じた状態」である。
【００４３】
各錘片２ａ，２ｂの、互いに向かい合う面２１ａ，２１ｂのうちの、溝部２２ａ，２２ｂに対して連結体挿入部２４ａ、２４ｂが形成されている側は、面２１ａ，２１ｂの周縁に向かうにつれて他方の錘片の向かい合う面から遠ざかる第１傾斜面２７ａ，２７ｂを含んでいる。また、各錘片２ａ，２ｂの、互いに向かい合う面２１ａ，２１ｂのうちの、前記溝部２２ａ，２２ｂに対して連結体挿入部２４ａ、２４ｂが形成されている側の反対側は、面２１ａ，２１ｂの周縁に向かうにつれて他方の錘片の向かい合う面から遠ざかる第２傾斜面２８ａ，２８ｂを含んでいる。そのため、釣針７に装着された釣用錘１を釣針７から取り外す際に、ペンチ等の工具で、第２傾斜面２８ａ，２８ｂ及びその近傍をつかむことが行い易い。連結体３をヒンジとして、一対の錘片２ａ，２ｂを第２傾斜面２８ａ，２８ｂ側から引き離す最中に、第１傾斜面２７ａ，２７ｂがあることで、一対の錘片２ａ，２ｂが可動し易く好ましい。
【００４４】
更に、第１傾斜面２７ａ，２７ｂ間の距離が、釣用錘１の長手方向両端に向かうにつれて各々徐々に小さくなり、釣用錘１の両端において、各錘片２ａ，２ｂの第１傾斜面２７ａ，２７ｂが互いに接しているので、連結体３をヒンジとして、一対の錘片２ａ，２ｂを第２傾斜面２８ａ，２８ｂ側から引き離す最中、錘片２ａ，２ｂに力を加え易く且つ錘片２ａ，２ｂが可動し易く、好ましい。加えて、釣用錘１による釣針７の挟持が行われていることが確認し易く、好ましい。
【００４５】
図３及び図５からよくわかるように、釣用錘１で釣針７の軸部７ｃを挟持することにより釣用錘１が閉じた状態のときでも、連結体３のうちの、錘片２ａと錘片２ｂの境目及びその付近に配置された部分３１が、錘本体２から露出していると、釣用錘１を釣針７から取り外すために、連結体３をヒンジとして、一対の錘片２ａ，２ｂを引き離す際に、連結体３を屈曲させ易く、好ましい。
【００４６】
尚、図１〜図７を用いて説明する釣用錘１において、錘片２ａ，２ｂの両方が、第１傾斜面２７ａ，２７ｂを備えているが、錘片２ａ，２ｂのいずれか一方だけが、第１傾斜面を備えていてもよい。
【００４７】
図８に、釣用錘１が釣針７を介して軟質ワーム４に装着された状態を示している。図８に示した軟質ワーム４は、略魚型のワームであり、頭部５と頭部５よりも後方側に配置された後方部６とを含んでいる。頭部５はその先端に抵抗体５２を含む。軟質ワーム４の、抵抗体５２、頭部本体５、及び後方部６は、いずれも軟質ゴムまたは軟質樹脂で形成されており、同一金型内で例えばインジェクション成形法等の方法により成型された一体物である。軟質ゴムとしては、例えば、シリコンゴムが挙げられる。軟質樹脂としては、例えば、塩化ビニル樹脂、ポリオレフィン等が挙げられる。
【００４８】
後方部６は、複数の肉薄部６ａと複数の肉厚部６ｂとを含み、複数の肉薄部６ａと複数の肉厚部６ｂとが、軟質ワーム４の長手方向に沿って交互に配置されている。後方部６が少なく一つの肉薄部６ａと当該肉薄部６ａの後方に隣接配置された肉厚部６ｂとを含む構造をしていることにより、肉薄部６ａのうちの先端側端近傍と後端側端近傍の各々が関節のように機能して、軟質ワーム４の左右方向の屈曲に寄与する。
【００４９】
軟質ワームは、軟質ゴムまたは軟質樹脂で形成されているため、可撓性を有しており、泳ぎ姿勢を安定化させることが難しい。しかし、錘本体２が主として比重が大きいタングステンからなる本発明の釣用錘１を用いれば、小さくても、軟質ワーム４を速く沈ませることができ、軟質ワーム４の低重心化、泳ぎ姿勢の安定化が行いやすい。また、軟質ワーム４に装着された状態の釣針７に対して着脱が容易に行えるので、釣糸を切ることなく、重さの異なる釣用錘の交換が容易に行える。
【００５０】
本発明の錘付き釣針が装着される軟質ワームについて、特に制限はなく、特開２００６−２２３２９６号公報に開示のものであってもよいし、後方部が、肉薄部６ａと肉厚部６ｂとを備えていなくてもよい。
【００５１】
尚、図２〜８を用いて説明した、本発明の釣用錘は、溝部に対して、連結体及び連結体挿入部が形成されている側が、下側に位置するように釣針に装着されているが、例えば、上側に位置するように装着されてもよく、釣針７に対する連結体３及び連結体挿入部２４ａ，２４ｂの位置について特に制限はない。
【００５２】
本発明の釣用錘は、釣針に対して装着可能であるが、釣針に代えて釣糸に装着され、スプリットショット錘として使用されてもよい。その場合、釣糸は、釣用錘に対して滑らないように、連結体３に対して１重以上巻き付けられてもよい。
【産業上の利用可能性】
【００５３】
日本の一部のトーナメントでは、鉛の使用が禁止されている。従って、本発明の釣用錘は、水質汚染の心配が少ない材料で形成され、しかも、ユーザーによる釣針に対する取り付け及び取り外しが容易に行えるので、特に、競技用として有用である。
【符号の説明】
【００５４】
１                    釣用錘
２                    錘本体
２ａ，２ｂ            一対の錘片
２ｃ，２ｄ            弾性シート
２１ａ，２１ｂ        一対の錘片の互いに向かい合う面
２１ｃ，２１ｄ        弾性シートの軸部と向かい合う面
２２ａ，２２ｂ        溝部
２２ｃ，２２ｄ        凸部
２３ａ，２３ｂ        溝部の底面
２４ａ，２４ｂ        連結体挿入部
２５ａ，２５ｂ        錘片の外表面
２６ａ，２６ｂ        当接面
２７ａ，２７ｂ        第１傾斜面
２８ａ，２８ｂ        第２傾斜面
３                    連結体
３１                  連結体のうちの一対の錘片の境目及びその付近に配置された部分
４                    軟質ワーム
５                    頭部
６                    後方部
７                    釣針
７ａ                  釣糸接続部
７ｂ                  屈曲部
７ｃ                  軸部
７ｄ                  湾曲部
７ｅ                  先端部
７ｆ                  針先
【図１】
2018143129.tif 000003
【図２】
2018143129.tif 000004
【図３】
2018143129.tif 000005
【図４】
2018143129.tif 000006
【図５】
2018143129.tif 000007
【図６】
2018143129.tif 000008
【図７】
2018143129.tif 000009
【図８】
2018143129.tif 000010